(57)【要約】【課題】子音文字と母音文字とが組合された文字を容易に入力すること。【解決手段】本実施形態に係る文字入力装置１０は、子音文字と母音文字とを組み合わせた組み合わせ文字を複数含む見出し語を複数備える辞書１２ｂの見出し語のうち、何れかの見出し語の組み合わせ文字を構成する第１子音文字と第１母音文字とを第１の表示形態で、辞書のいずれの見出し語の組み合わせ文字も構成しない第２子音文字と第２母音文字とを第１の表示形態と異なる第２の表示形態で一覧表示（文字選択画面Ｇｔ１）させる。文字入力装置１０は、ユーザ操作に応じて、第１の表示形態で表示された第１子音文字が入力された場合には、第１子音文字を組み合わせ文字として含む各見出し語の前記組み合わせ文字を一覧表示し、第１母音文字が入力された場合には、第１母音文字を組み合わせ文字として含む各見出し語の前記組み合わせ文字を一覧表示（組合せ文字選択画面Ｇｔ２）させる。【選択図】図５
2018164169.tif 000002
【特許請求の範囲】
【請求項１】
子音文字と母音文字とを組み合わせた組み合わせ文字を複数含む見出し語を複数備える辞書の前記見出し語のうち、何れかの見出し語の組み合わせ文字を構成する第１子音文字と第１母音文字とを第１の表示形態で、前記辞書のいずれの見出し語の組み合わせ文字も構成しない第２子音文字と第２母音文字とを前記第１の表示形態と異なる第２の表示形態で、一覧表示させる文字一覧表示制御手段と、
ユーザ操作に応じて、前記第１の表示形態で表示された前記第１子音文字及び前記第１母音文字からいずれかを任意に入力する文字入力手段と、
前記文字入力手段により前記第１子音文字が入力された場合には、前記入力された第１子音文字を組み合わせ文字として含む各見出し語の前記組み合わせ文字を一覧表示し、前記文字入力手段により前記第１母音文字が入力された場合には、前記入力された第１母音文字を組み合わせ文字として含む各見出し語の前記組み合わせ文字を一覧表示させる組み合わせ文字一覧表示制御手段と、
を備える文字入力装置。
【請求項２】
前記文字一覧表示制御手段は、
前記辞書の前記見出し語のうち、何れかの見出し語の先頭の組み合わせ文字を構成する第１子音文字と第１母音文字とを第１の表示形態で、前記辞書のいずれの見出し語の先頭の組み合わせ文字も構成しない第２子音文字と第２母音文字とを前記第１の表示形態と異なる第２の表示形態で、一覧表示させ、
前記組み合わせ文字一覧表示制御手段は、
前記文字入力手段により前記第１子音文字が入力された場合には、前記入力された第１子音文字を先頭の組み合わせ文字として含む各見出し語の前記先頭の組み合わせ文字を一覧表示し、前記文字入力手段により前記第１母音文字が入力された場合には、前記入力された第１母音文字を先頭の組み合わせ文字として含む各見出し語の前記先頭の組み合わせ文字を一覧表示させる先頭組み合わせ文字一覧表示制御手段を備える、
請求項１に記載の文字入力装置。
【請求項３】
前記文字一覧表示制御手段は、前記辞書の前記見出し語のうち、何れかの見出し語の組み合わせ文字を構成する第１子音文字と第１母音文字とを入力可能であることを示す第１の表示形態で、前記辞書のいずれの見出し語の組み合わせ文字も構成しない第２子音文字と第２母音文字とを前記第１の表示形態と異なる入力不可であることを示す第２の表示形態で、一覧表示させる、
請求項１又は２に記載の文字入力装置。
【請求項４】
前記先頭組み合わせ文字一覧表示制御手段により一覧表示された前記先頭の組み合わせ文字から何れかの先頭の組み合わせ文字を選択する先頭組み合わせ文字選択手段と、
前記選択された先頭の組み合わせ文字を先頭に含む見出し語を一覧表示させる見出し語一覧表示手段をさらに有する請求項２に記載の文字入力装置。
【請求項５】
前記文字一覧表示制御手段は、前記辞書に含まれる見出し語の先頭の組み合わせ文字を構成する前記第１子音文字と前記第１母音文字とを含む見出し語先頭文字テーブルを参照し、
前記見出し語先頭文字テーブルに含まれる前記第１子音文字と前記第１母音文字を前記第１の表示形態で表示させる請求項２から４のいずれか一項に記載の文字入力装置。
【請求項６】
前記辞書は、異なる見出し語が含まれる第１辞書と第２辞書とを含み、
前記文字一覧表示制御手段は、
ユーザ操作により前記第１辞書が選択された場合に、前記第１辞書に対応する第１見出し語先頭文字テーブルを参照して前記第１子音文字と前記第１母音文字とを前記第１の表示形態で表示させ、
ユーザ操作により前記第２辞書が選択された場合に、前記第２辞書に対応する第２見出し語先頭文字テーブルを参照して前記第１子音文字と前記第１母音文字とを前記第１の表示形態で表示させる
請求項５記載の文字入力装置。
【請求項７】
前記辞書を選択する辞書選択手段を備え、
前記文字一覧表示制御手段は、
前記辞書選択手段により前記辞書が選択されている場合に、前記第１子音文字と前記第１母音文字とを前記第１の表示形態で、前記辞書のいずれの見出し語の先頭の組み合わせ文字も構成しない第２子音文字と第２母音文字とを前記第１の表示形態と異なる第２の表示形態で、一覧表示させ、
前記辞書選択手段により前記辞書が選択されていない場合に、いずれの子音文字も前記第１子音文字として、いずれの母音文字も前記第１母音文字として、前記第１の表示形態で、一覧表示させる請求項２乃至請求項６の何れか一項に記載の文字入力装置。
【請求項８】
文字入力装置が実行する文字入力方法であって、
子音文字と母音文字とを組み合わせた組み合わせ文字を複数含む見出し語を複数備える辞書の前記見出し語のうち、何れかの見出し語の組み合わせ文字を構成する第１子音文字と第１母音文字とを第１の表示形態で、前記辞書のいずれの見出し語の組み合わせ文字も構成しない第２子音文字と第２母音文字とを前記第１の表示形態と異なる第２の表示形態で、一覧表示させ、
ユーザ操作に応じて、前記第１の表示形態で表示された前記第１子音文字及び前記第１母音文字からいずれかを任意に入力し、
前記第１子音文字が入力された場合には、前記入力された第１子音文字を組み合わせ文字として含む各見出し語の前記組み合わせ文字を一覧表示し、前記第１母音文字が入力された場合には、前記入力された第１母音文字を組み合わせ文字として含む各見出し語の前記組み合わせ文字を一覧表示させる文字入力方法。
【請求項９】
コンピュータを、
子音文字と母音文字とを組み合わせた組み合わせ文字を複数含む見出し語を複数備える辞書の前記見出し語のうち、何れかの見出し語の組み合わせ文字を構成する第１子音文字と第１母音文字とを第１の表示形態で、前記辞書のいずれの見出し語の組み合わせ文字も構成しない第２子音文字と第２母音文字とを前記第１の表示形態と異なる第２の表示形態で、一覧表示させる文字一覧表示制御手段と、
ユーザ操作に応じて、前記第１の表示形態で表示された前記第１子音文字及び前記第１母音文字からいずれかを任意に入力する文字入力手段と、
前記文字入力手段により前記第１子音文字が入力された場合には、前記入力された第１子音文字を組み合わせ文字として含む各見出し語の前記組み合わせ文字を一覧表示し、前記文字入力手段により前記第１母音文字が入力された場合には、前記入力された第１母音文字を組み合わせ文字として含む各見出し語の前記組み合わせ文字を一覧表示させる組み合わせ文字一覧表示制御手段として機能させるための入力制御プログラム。
【発明の詳細な説明】
【技術分野】
【０００１】
本発明は、複数の文字パーツを組合せた文字を入力するための文字入力装置、文字入力方法、及び入力制御プログラムに関する。
【背景技術】
【０００２】
タイ語の文字（タイ文字）は、表音文字であり、第１文字／第１文字パーツと第２文字／第２文字パーツとの組合せで構成される。第１文字／第１文字パーツと第２文字／第２文字パーツは、何れか一方が子音文字であり、他方が母音文字である。従って、１つのタイ文字は、子音文字と母音文字を組合せて表記される。
【０００３】
図９（Ａ）は、従来のタイ語入力キーボードＫＢ（フルキーボード）を示す図である。図９（Ｂ）（Ｃ）は、タイ語入力キーボードＫＢを使用したタイ文字の入力例を示す図である。
【０００４】
第１／第２の文字／文字パーツは、文字キーＫ１〜Ｋ４６を選択的に押下（またはタッチ）操作することで入力できる。また、英語入力用のＱＷＥＲＴＹキーボードと同様に、各キーＫｎの右下に表記されている文字は、キーＫｎの操作だけで入力でき、各キーＫｎの左上に表記されている文字は［shift］キーＫｓと、キーＫｎとの同時操作または連続操作により入力できる。
【０００５】
キーボードＫＢを用いてタイ文字を入力する際には、１文字目として子音文字、２文字目として母音文字を入力する規則がある。タイ文字の文字表記は、同文字を構成する子音文字と母音文字との位置関係が、子音文字に対して、母音文字が後（右）であったり、上であったり、下であったり、例外的に前（左）であったりする。このため、タイ文字の文字表記（子音文字、母音文字）の並びの順番と、キーボードから入力する順番が一致しないことがある。
【０００６】
例えば、図９（Ｂ）に示すように、母音文字ｃ２が子音文字ｖ１の前（左）に位置するタイ文字Ｔ１（１つの組み合わせ文字（ケー））を入力する場合、規則では、文字キーＫ２８＋Ｋ３９の順でキー入力しなければならない。また、図９（Ｃ）に示すように、母音文字ｃ６が子音文字ｖ１の上に位置するタイ文字Ｔ２（１つの組み合わせ文字（コ））を入力する場合、規則では、文字キーＫ２８＋Ｋｓ・Ｋ１１の順でキー入力しなければならない。
【０００７】
タイ文字を入力する従来の電子機器としては、タイ語ラベルプリンタが考えられている（例えば、特許文献１参照）。タイ語ラベルプリンタは、タイ語入力キーボードＫＢを必要とすることなく、少ないキーでタイ文字を入力する仕組みを備えている。
【先行技術文献】
【特許文献】
【０００８】
【特許文献１】特開２００５−２１２３７５号公報
【発明の概要】
【発明が解決しようとする課題】
【０００９】
従来技術では、タイ語入力キーボードＫＢを用いてタイ文字を入力する場合、１文字目として子音文字、２文字目として母音文字を入力する規則に従ってキー入力する必要がある。すなわち、キーボードＫＢに設けられた全ての文字キーから、入力対象とする子音文字に相当する文字キーを選択してキー入力し、次に、同様にして、全ての文字キーから、入力対象とする母音文字に相当する文字キーを選択してキー入力する必要がある。また、入力対象とする文字がキーＫｎの左上に表記されている場合には、［shift］キーＫｓと組み合わせて文字キーに対してキー入力する必要がある。
【００１０】
このため、タイ語入力キーボードＫＢに慣れていないユーザの場合には、容易にタイ文字を入力することが困難となる。特に、タイ文字に対応した言語の知識が不十分なユーザ、その言語を母国語としないユーザでは、子音文字と母音文字を識別することが容易でないため、タイ語入力キーボードＫＢから子音文字、母音文字のそれぞれに対応する文字キーを探し出すのが困難である。
【００１１】
また、タイ語では多くの母音文字と子音文字があり、通常は使われない母音文字や子音文字も多く存在する。このためタイ語入力キーボードＫＢに慣れたユーザであっても、タイ文字を入力するには、多くのキーから使われる母音文字や子音文字を探すという煩雑な作業が必要となる。さらにタイ語では、手書きでは多くの組み合わせ文字は、子音文字、母音文字の順で書くものの、特定の組み合わせ文字では、母音文字、子音文字の順で書く決まりである。しかし従来のタイ語入力キーボードＫＢでは、一律に子音文字、母音文字の順に入力する仕組みが用いられていた。このため従来のキーボードでは、手書きと異なる順番に入力する場合もあり、煩雑な作業が必要であった。
【００１２】
本発明は、このような課題に考慮してなされたもので、子音文字と母音文字とが組合された文字を容易に入力することが可能になる文字入力装置、文字入力方法、及び入力制御プログラムを提供することを目的とする。
【課題を解決するための手段】
【００１３】
上記の課題を解決するために、本実施形態に係る文字入力装置は、子音文字と母音文字とを組み合わせた組み合わせ文字を複数含む見出し語を複数備える辞書の前記見出し語のうち、何れかの見出し語の組み合わせ文字を構成する第１子音文字と第１母音文字とを第１の表示形態で、前記辞書のいずれの見出し語の組み合わせ文字も構成しない第２子音文字と第２母音文字とを前記第１の表示形態と異なる第２の表示形態で、一覧表示させる文字一覧表示制御手段と、ユーザ操作に応じて、前記第１の表示形態で表示された前記第１子音文字及び前記第１母音文字からいずれかを任意に入力する文字入力手段と、前記文字入力手段により前記第１子音文字が入力された場合には、前記入力された第１子音文字を組み合わせ文字として含む各見出し語の前記組み合わせ文字を一覧表示し、前記文字入力手段により前記第１母音文字が入力された場合には、前記入力された第１母音文字を組み合わせ文字として含む各見出し語の前記組み合わせ文字を一覧表示させる組み合わせ文字一覧表示制御手段とを有する。
【発明の効果】
【００１４】
本発明によれば、子音文字と母音文字とが組合された文字を容易に入力することが可能となる。
【図面の簡単な説明】
【００１５】
【図１】本発明の実施の形態に係る文字入力装置の電子回路の構成を示す機能ブロック図。
【図２】本発明の実施の形態に係る文字入力装置を電子辞書装置により実施した場合の外観構成を示す正面図。
【図３】本発明の実施の形態に係る文字入力装置をタブレット端末により実施した場合の外観構成を示す正面図。
【図４】本発明の実施の形態に係る文字入力装置の文字入力制御処理を示すフローチャート。
【図５】本発明の実施の形態に係る文字入力装置の文字入力制御処理に従ったユーザ操作に対応する表示動作を示す図。
【図６】本発明の実施の形態に係る文字入力装置の文字入力制御処理に従ったユーザ操作に対応する表示動作を示す図。
【図７】本発明の実施の形態に係る文字入力装置の文字入力制御処理に従ったユーザ操作に対応する表示動作を示す図。
【図８】本発明の実施の形態に係る文字入力装置の文字入力制御処理に従ったユーザ操作に対応する表示動作を示す図。
【図９】従来のタイ語入力キーボードＫＢ（フルキーボード）を示す図。
【発明を実施するための形態】
【００１６】
以下、図面により本発明の実施の形態について説明する。  
（第１実施形態）
図１は、本発明の実施形態に係る文字入力装置１０の電子回路の構成を示す機能ブロック図である。  
本実施形態の文字入力装置１０は、タイ語の辞書検索機能（辞書検索モード）とメモ帳機能（テキスト入力モード）を有する。タイ語の辞書検索機能では、複数の辞書から何れかの辞書を選択して使用することができる。
【００１７】
文字入力装置１０は、各種の記録媒体に記録されたプログラム、又は、伝送されたプログラムを読み込んで、その読み込んだプログラムによって動作が制御されるコンピュータによって構成され、その電子回路には、ＣＰＵ(central processing unit)１１が備えられる。
【００１８】
ＣＰＵ１１は、メモリ１２内に予め記憶された制御プログラム、あるいはＲＯＭカードなどの外部記録媒体１３から記録媒体読取部１４を介してメモリ１２に読み込まれた制御プログラム、あるいはインターネット（通信ネットワーク）Ｎ上のＷｅｂサーバ（この場合はプログラムサーバ）２０から通信部１５を介しダウンロードされてメモリ１２に読み込まれた制御プログラムに応じて、回路各部の動作を制御する。
【００１９】
メモリ１２に記憶された制御プログラムは、キー入力部１６からのユーザ操作に応じた入力信号、タッチパネル式表示部１７からのユーザ操作に応じた入力信号、あるいは外部接続されるインターネットＮ上のＷｅｂサーバ２０との通信信号、あるいは記録媒体読取部１４を介して外部接続されるＥＥＰＲＯＭ（登録商標），ＲＡＭ，ＲＯＭなどの外部記録媒体１３との接続通信信号に応じて起動される。
【００２０】
ＣＰＵ１１には、メモリ１２、記録媒体読取部１４、通信部１５、キー入力部１６、タッチパネル式表示部１７などが接続される。
【００２１】
メモリ１２に記憶される制御プログラムとしては、文字入力装置１０の全体の動作を司るシステムプログラム、外部接続されるインターネットＮ上の各Ｗｅｂサーバ２０…、ユーザＰＣ(Personal Computer)などとデータ通信するための通信プログラムが記憶され、さらに、辞書情報の表示だけでなく、タイ語の文字を入力するための文字入力制御処理プログラム１２ａが記憶される。
【００２２】
メモリ１２には、例えば、日タイ英辞書／タイ日英辞書（例えば８千語辞書）、日本語ビジネス会話集（日本語ビジネス用語辞書）などの複数の辞書を集録したタイ語辞書データベース１２ｂが記憶される他、タイ語の文字を入力するための第１文字（第１文字パーツ；子音）一覧データエリア１２ｃ１、第２文字（第２文字パーツ；母音）一覧データエリア１２ｃ２、第３文字（第３文字パーツ）一覧データエリア１２ｃ３、見出し語先頭文字データ１２ｃ４、タイ文字フォントデータエリア１２ｄ、タイ語入力設定データエリア１２ｅなどが確保される。なお、タイ語辞書データベース１２ｂは、文字入力装置１０の本体に内蔵せずに、ネットワークＮを通じてアクセス可能な辞書データベースから取得するようにしても良い。
【００２３】
タイ語辞書データベース１２ｂには、タイ語見出し語一覧データと、各見出し語のそれぞれに対応する辞書データ（説明情報など）が含まれる。タイ語見出し語一覧データには、例えば日タイ英辞書／タイ日英辞書については８千語の見出し語を含む。
【００２４】
第１文字一覧データエリア１２ｃ１には、タイ語辞書データベース１２ｂに含まれる辞書（日タイ英辞書／タイ日英辞書、日本語ビジネス会話集など）の各見出し語の先頭の文字に使用される全てのタイ文字（子音文字と母音文字から構成される組み合わせ文字）に含まれる子音文字の一覧データが、各子音文字の文字コードのテーブルデータとして記憶される。
【００２５】
第２文字一覧データエリア１２ｃ２には、タイ語辞書データベース１２ｂに含まれる辞書（日タイ英辞書／タイ日英辞書、日本語ビジネス会話集など）の各見出し語の先頭の文字に使用される全てのタイ文字（子音文字と母音文字から構成される組み合わせ文字）に含まれる母音文字の一覧データが、各母音文字の文字コードのテーブルデータとして記憶される。
【００２６】
また、第２文字一覧データエリア１２ｃ２には、第１文字一覧データエリア１２ｃ１に記憶された第１文字（子音文字）毎に、第１文字（子音文字）と組み合わせ文字を構成可能な第２文字（母音文字）とを組み合わせた組み合わせ文字の一覧データが、文字コードのテーブルデータとして記憶される。また、第２文字一覧データエリア１２ｃ２には、母音文字の一覧データが示す第２文字（母音文字）毎に、第２文字（母音文字）と組み合わせ文字を構成可能な第１文字（子音文字）とを組み合わせた文字の一覧データが、文字コードのテーブルデータとして記憶される。また、第２文字一覧データエリア１２ｃ２には、組合せ文字を構成する第１文字（子音文字）と第２文字（母音文字）の位置を示す情報も含めて記憶される。
【００２７】
例えば、図５（Ｄ）に示す組合せ文字選択画面Ｇｔ２の一覧データは、前（左）に配置される母音文字ｃ２に組合せ可能な子音文字ｖ１，ｖ２，…を組合せて文字Ｔ１，Ｔ２，…を構成した組合せ文字一覧データである。
【００２８】
第３文字一覧データエリア１２ｃ３には、第２文字一覧データエリア１２ｃ２に記憶された組み合わせ文字（子音文字＋母音文字）毎に、組み合わせ文字の次に組合せ可能な子音文字ｖｎ…や母音文字ｃｎ…を組合せた文字（文字列）を含む組合せ文字一覧データが、文字コードのテーブルデータとして記憶される。
【００２９】
見出し語先頭文字データエリア１２ｃ４には、辞書に含まれる見出し語の先頭の組み合わせ文字を構成する子音文字と母音文字の一覧データが、各文字のテーブルデータ（見出し語先頭文字テーブル）として記憶される。見出し語先頭文字テーブルは、第１文字一覧データエリア１２ｃ１に記憶される子音文字の一覧データと、第２文字一覧データエリア１２ｃ２に記憶される母音文字の一覧データとにより構成される。見出し語先頭文字テーブルは、タイ語辞書データベース１２ｂに複数の辞書が含まれる場合、各辞書のそれぞれに対応づけて記憶される。例えば、日タイ英辞書／タイ日英辞書用の第１見出し語先頭文字テーブルと、日本語ビジネス会話集（日本語ビジネス用語辞書）用の第２見出し語先頭文字テーブルが記憶される。
【００３０】
タイ文字フォントデータエリア１２ｄには、全てのタイ文字の文字コードに各対応するフォント（画像）のデータが、タイ文字の文字パーツ別や子音文字(パーツ)と母音文字(パーツ)とが上下に一体化されて組合された文字別に記憶される。
【００３１】
タイ語入力設定データエリア１２ｅには、文字入力制御処理プログラム１２ａ（タイ語入力システム）に従う、タイ語の文字（テキストデータ）を入力するメモ帳機能（テキスト入力モード）の設定データが記憶される。
【００３２】
図２は、文字入力装置１０を電子辞書装置１０Ｄにより実施した場合の外観構成を示す正面図である。  
図２における電子辞書装置１０Ｄの場合、開閉される装置本体の下段側にＣＰＵ１１、メモリ１２、記録媒体読取部１４、通信部１５が内蔵されると共に、キー入力部１６が設けられ、上段側にタッチパネル式表示部１７が設けられる。キー入力部１６には、文字入力キー１６ａ、各種の辞書選択キー１６ｂ、[訳／決定]キー１６ｃ、[戻る]キー１６ｄ、カーソルキー１６ｅなどが備えられる。図２に示すタッチパネル式表示部１７には、辞書検索機能の起動に従い、辞書の見出し語を入力するための文字選択画面Ｇｔ１が表示された例を示している。文字選択画面Ｇｔ１の詳細については後述する（図５（Ｂ）参照）。
【００３３】
図３は、文字入力装置１０をタブレット端末１０Ｔにより実施した場合の外観構成を示す正面図である。  
図３におけるタブレット端末１０Ｔの場合、ＣＰＵ１１、メモリ１２、記録媒体読取部１４、通信部１５は端末本体に内蔵され、また、タッチパネル式表示部１７に必要に応じて表示される各種のアイコンやソフトキーボードがキー入力部１６として機能する。図３に示すタッチパネル式表示部１７には、図２と同様に、文字選択画面Ｇｔ１が表示された例を示している。
【００３４】
このように構成された文字入力装置１０は、ＣＰＵ１１が文字入力制御処理プログラム１２ａに記述された命令に従い回路各部の動作を制御し、ソフトウエアとハードウエアとが協働して動作することにより、以下の動作説明で述べる機能を実現する。
【００３５】
次に、本実施形態における文字入力装置１０の動作について説明する。  
ここでは、文字入力装置１０を電子辞書装置１０Ｄにより実施した場合の動作について説明する。
【００３６】
図４は、本実施形態に係る文字入力装置１０の文字入力制御処理を示すフローチャートである。  
図５及び図６は、文字入力装置１０の文字入力制御処理に従ったユーザ操作に対応する表示動作を示す図である。
【００３７】
先ず、ユーザは、文字入力装置１０の動作モードとして、（Ａ）辞書検索モードまたは（Ｂ）テキスト入力モードの何れかを指定する。ＣＰＵ１１は、キー入力部１６の辞書選択キー１６ｂに対するユーザ操作により、辞書が選択されると辞書検索モードを設定する。例えば日タイ英辞書／タイ日英辞書（辞書１）がユーザ操作によって選択されると（ステップＳ１、Ｙｅｓ）、ＣＰＵ１１は、日タイ英辞書／タイ日英辞書（以下、日タイ英辞書と称する）を検索対象辞書として設定し、図５（Ａ）に示すように、検索語選択画面Ｇをタッチパネル式表示部１７に表示させる（ステップＳ４）。
【００３８】
検索語選択画面Ｇでは、辞書の見出し語の検索のための言語として、「日本語」「タイ語」「英語」から何れかを選択することができる。ＣＰＵ１１は、ユーザによるカーソルキー１６ｅの上下キーの操作に応じて、識別表示ｈを「日本語検索」「タイ語の母音字・子音字から選んで検索」「英語検索」の何れかに移動させ、[訳／決定]キー１６ｃが操作された時に識別表示ｈが表示された位置に応じて検索のための言語を設定する。なお、カーソルキー１６ｅの操作だけでなく、タッチパネル式表示部１７に対するタッチ操作により、「日本語検索」「タイ語の母音字・子音字から選んで検索」「英語検索」の何れかを選択することも可能である。
【００３９】
例えば、カーソルキー１６ｅ（下キー）の操作により、「タイ語の母音字・子音字から選んで検索」に識別表示ｈが移動され、[訳／決定]キー１６ｃが操作されると（ステップＳ９、Ｙｅｓ）、ＣＰＵ１１は、辞書の見出し語の検索のための言語としてタイ語を設定し、タイ文字を入力するためタイ語入力を起動する。
【００４０】
次に、ＣＰＵ１１は、検索対象辞書に対応づけられた見出し語先頭文字テーブルをもとに、文字選択画面Ｇｔ１をタッチパネル式表示部１７に表示させる（ステップＳ１０）。図５（Ｂ）は、本実施形態における文字選択画面Ｇｔ１の一例を示す図である。
【００４１】
図５（Ｂ）に示すように、文字選択画面Ｇｔ１には、子音文字を入力するための子音キーが配置された子音文字エリアと、母音文字を入力するための母音キーが配置された母音文字エリアを設ける。図５（Ｂ）に示す例では、下段に通常のキーボードのキー位置に対応する母音文字、子音文字を配置している。上段には通常のキーボードの[SHIFT]後に対応する母音文字、子音文字を配置している。
【００４２】
従って、タイ語入力キーボードでは１つのキーに２つの文字が割り当てられたキーが存在するが、文字選択画面Ｇｔ１に表示されるキーには、複数の文字が割り当てられたキーがない。
【００４３】
さらに、文字選択画面Ｇｔ１では、見出し語先頭文字テーブルに記憶された、見出し語の先頭の組み合わせ文字を構成する子音文字と母音文字のキーを白色（第１の表示形態）により表示させ、見出し語先頭文字テーブルに記憶されていない子音文字と母音文字のキーを灰色（第２の表示形態）により表示させる。すなわち、文字選択画面Ｇｔ１では、日タイ英辞書の見出し語の入力のために使用されるキーを、ユーザに容易に識別できるように表示する。
【００４４】
さらに、文字選択画面Ｇｔ１では、タイ語入力キーボードと同じ配列により、子音文字と母音文字がそれぞれキー配列されている。従って、タイ語入力キーボードを使用したことがあるユーザの場合には、文字選択画面Ｇｔ１における子音文字と母音文字の各キーの配置を容易に把握することができる。よって、文字選択画面Ｇｔ１を用いることで、使いやすさの向上を図ることができる。
【００４５】
また、文字選択画面Ｇｔ１によれば、子音文字と母音文字の何れの文字も入力することができる。すなわち、タイ語入力キーボードを用いた文字入力では、キーの左上に配置された文字（例えば子音文字）を入力する場合、文字キーの操作と［shift］キーＫｓと組み合わせて入力操作する必要があるが、文字選択画面Ｇｔ１では子音文字を入力する場合であっても、表示されたキーを選択する操作だけで良い。従って、子音文字と母音文字を同じ操作によって、１つの文字選択画面Ｇｔ１から入力できるので、入力操作を簡単にすることができ操作性の向上を図ることができる。
【００４６】
文字選択画面Ｇｔ１においてユーザ操作（タッチ操作）によって何れかのキーが選択されると（ステップＳ１１）、ＣＰＵ１１は、選択されたキーに対応する子音文字あるいは母音文字を入力する。なお、ＣＰＵ１１は、白色（第１の表示形態）により表示させたキーについては、ユーザの操作によってキー入力（文字入力）を可能とし、灰色（第２の表示形態）により表示させたキーについては、キー入力（文字入力）を不可となるように入力制御をする。すなわち、ユーザが灰色により表示させたキーを選択する操作をした場合には、選択されたキーに対応する文字を入力しない。
【００４７】
ＣＰＵ１１は、選択されたキーに対応する入力された文字（子音文字あるいは母音文字）をもとに、第２文字一覧データエリア１２ｃ２に記憶されたテーブルデータを参照して、入力された文字を含む組み合わせ文字を読み出して、タッチパネル式表示部１７の組合せ文字選択画面Ｇｔ２に一覧表示する（ステップＳ１２）。
【００４８】
例えば、ユーザは、後述する図６（Ｂ）で示すタイ文字Ｔ１を入力したい場合に、タイ文字Ｔ１を構成する子音文字あるいは母音文字を文字選択画面Ｇｔ１から選択する。ここで、ユーザは、タイ文字Ｔ１を構成する前（左）に位置する母音文字ｃ２（母音「エァ」）を、文字選択画面Ｇｔ１から選択したものとする。
【００４９】
なお、母音文字ｃ２を従来のタイ語入力キーボードＫＢ（図９（Ｂ）参照）によりキー入力する場合は、図５（Ｂａ）に示すように、母音文字ｃ２が表記された文字キーＫ３９を探し出して入力しなければならない。
【００５０】
図５（Ｃ）は、文字選択画面Ｇｔ１からタイ文字Ｔ１を構成する母音文字のキーがタッチ操作されている状態を示している。ＣＰＵ１１は、文字選択画面Ｇｔ１においてキーがタッチ操作されている間、通常とは異なる表示形態によりキーを表示させる。例えば、ＣＰＵ１１は、図５（Ｃ）に示すタッチ操作されたキーを識別表示ｈａ（例えば、緑色の反転表示）により表示させる。これにより、ユーザは、タッチ操作しているキーを確認することができる。
【００５１】
ＣＰＵ１１は、タッチパネル式表示部１７からタッチが離されたことを検出すると、識別表示ｈａされたキーの母音文字を入力する。ＣＰＵ１１は、入力された母音文字と子音文字とを組み合わせた組み合わせ文字（タイ文字）の一覧データを第２文字一覧データエリア１２ｃ２から読み出して、タッチパネル式表示部１７の組合せ文字選択画面Ｇｔ２に一覧表示させる。
【００５２】
図５（Ｄ）は、図５（Ｃ）に示す文字選択画面Ｇｔ１から選択された母音文字に応じて表示される組合せ文字選択画面Ｇｔ２の一例を示す図である。組合せ文字選択画面Ｇｔ２では、文字選択画面Ｇｔ１から選択された母音文字（または選択された子音文字）を先頭の組み合わせ文字に含む前記辞書の見出し語を読み出して、読み出された見出し語の先頭の組み合わせ文字（タイ文字）が一覧表示される。
【００５３】
組合せ文字選択画面Ｇｔ２では、ユーザは、先に選択した母音文字を含む組み合わせ文字（タイ文字）の一覧表示から任意の文字（組み合わせ文字）を選択することができる。なお、図５（Ｃａ）に示すように、子音文字ｖ１を従来のタイ語入力キーボードＫＢ（図９（Ｂ）参照）によりキー入力する場合は、母音文字が表記された文字キーＫ３９とは別の子音文字ｖ１が表記された文字キーＫ２８を探し出して入力しなければならない。
【００５４】
ここで、ＣＰＵ１１は、組合せ文字選択画面Ｇｔ２の一覧表示から何れかの組み合わせ文字（タイ文字）が選択されると（ステップＳ１３）、この選択された文字と先頭の文字が一致する見出し語を読み出して、タッチパネル式表示部１７の見出し語一覧画面Ｇｔ３に一覧表示させる。
【００５５】
図６（Ａ）は、図５（Ｄ）から選択された組み合わせ文字（タイ文字）と先頭の文字が一致する見出し語が一覧表示された見出し語一覧画面Ｇｔ３の一例を示す図である。図６（Ａ）に示す見出し語一覧画面Ｇｔ３は、例えば図５（Ｄ）に示す組合せ文字選択画面Ｇｔ２において、母音文字ｃ２と子音文字ｖ１とを組合せた組み合わせ文字（タイ文字）Ｔ１がユーザ操作により選択された場合の例を示している。見出し語一覧画面Ｇｔ３には、例えば見出し語［Ａ］〜［Ｇ］が一覧表示されている。
【００５６】
ＣＰＵ１１は、見出し語一覧画面Ｇｔ３において、ユーザ操作により何れかの見出し語が指定されると、図６（Ａ）に示すように、指定された見出し語を識別表示ｈさせる。ＣＰＵ１１は、ユーザ操作により見出し語の選択が確定されると（ステップＳ１５）、選択された見出し語に対応した説明情報をタイ語辞書データベース１２ｂから読み出して、タッチパネル式表示部１７の説明情報画面Ｇｔ４に表示させる（ステップＳ１６）。
【００５７】
図６（Ｂ）は、図６（Ａ）に示す見出し語一覧画面Ｇｔ３から見出し語［Ａ］が選択された場合の説明情報画面Ｇｔ４の一例を示す図である。
【００５８】
図７は、文字入力装置１０の文字入力制御処理に従ったユーザ操作に対応する表示動作を示す図である。図７では、図５（Ｂ）に示す文字選択画面Ｇｔ１において、図５（Ｄ）において選択された母音文字と異なる文字がユーザ操作によって選択された場合の表示動作を示している。
【００５９】
図７（Ａ）では、文字選択画面Ｇｔ１からタイ文字Ｔ１を構成する子音文字（識別表示ｈｂ）のキーがタッチ操作されている状態を示している。ＣＰＵ１１は、文字選択画面Ｇｔ１において、ユーザよってタッチ操作されたキーを識別表示ｈｂにより表示させる。
【００６０】
ＣＰＵ１１は、タッチパネル式表示部１７からタッチが離されたことを検出すると、識別表示ｈｂされたキーの子音文字を入力する（ステップＳ１１）。ＣＰＵ１１は、入力された子音文字（又は入力された母音文字）と組み合わせ可能な母音文字（又は組み合わせ可能な子音文字）とを組み合わせた組み合わせ文字（タイ文字）の一覧データを第２文字一覧データエリア１２ｃ２から読み出して、図７（Ｂ）に示すように、タッチパネル式表示部１７の組合せ文字選択画面Ｇｔ２に一覧表示させる（ステップＳ１２）。
【００６１】
ここで、ＣＰＵ１１は、図７（Ｂ）に示す組合せ文字選択画面Ｇｔ２の一覧表示から何れかの組み合わせ文字（タイ文字）が選択されると、この選択された文字と先頭の文字が一致する見出し語を読み出して、図７（Ｃ）に示すように、タッチパネル式表示部１７の見出し語一覧画面Ｇｔ３に一覧表示させる（ステップＳ１４）。
【００６２】
ＣＰＵ１１は、図７（Ｃ）に示す見出し語一覧画面Ｇｔ３において、ユーザ操作により見出し語（図７（Ｃ）では見出し語［Ａ］）が選択されると（ステップＳ１５）、図７（Ｄ）に示すように、選択された見出し語に対応した説明情報をタイ語辞書データベース１２ｂから読み出して、タッチパネル式表示部１７の説明情報画面Ｇｔ４に表示させる（ステップＳ１６）。
【００６３】
なお、前述した説明では、文字選択画面Ｇｔ１において、母音文字が先にユーザ操作により選択される例について説明しているが、先に、子音文字エリアに表示された白色に表示された子音文字のキーがユーザ操作によって選択された場合についても、前述と同様の処理が実行される。
【００６４】
すなわち、ＣＰＵ１１は、文字選択画面Ｇｔ１に対するユーザ操作により子音文字が入力されると（ステップＳ９、Ｙｅｓ）、入力された子音文字と組み合わせ可能な母音文字とを組み合わせた組み合わせ文字（タイ文字）の一覧データを第２文字一覧データエリア１２ｃ２から読み出して、タッチパネル式表示部１７の組合せ文字選択画面Ｇｔ２に一覧表示させる（ステップＳ１２）。そして、ＣＰＵ１１は、組合せ文字選択画面Ｇｔ２の一覧表示から何れかの組み合わせ文字（タイ文字）が選択されると（ステップＳ１３）、この選択された文字と先頭の文字が一致する見出し語を読み出して、タッチパネル式表示部１７の見出し語一覧画面Ｇｔ３に一覧表示させる（ステップＳ１４）。以下、前述したように、先に母音文字が入力された場合と同様の処理を実行する（ステップＳ１５，Ｓ１６）。
【００６５】
文字入力装置１０は、文字入力処理の終了が指示されるまで（ステップＳ１７、Ｎｏ）、前述した処理を繰り返して実行する（ステップＳ１〜Ｓ１７）。
【００６６】
なお、前述した説明では、日タイ英辞書／タイ日英辞書（辞書１）がユーザ操作によって選択された場合を例にしているが、日本語ビジネス会話集（日本語ビジネス用語辞書）（辞書２）が選択された場合（ステップＳ２、Ｙｅｓ）、ＣＰＵ１１は、日本語ビジネス会話集を検索対象辞書として設定し、図８（Ａ）に示すように、日本語ビジネス会話集に対応する検索語選択画面Ｇｔをタッチパネル式表示部１７に表示させる（ステップＳ５）。日本語ビジネス会話集では、英語による見出し語が含まれていないため、検索語として「英語」の選択肢が設けられていない。
【００６７】
検索語選択画面Ｇｔにおいてユーザ操作により「タイ語の母音字・子音字から選んで検索」が選択されると（ステップＳ９、Ｙｅｓ）、ＣＰＵ１１は、辞書の見出し語の検索のための言語としてタイ語を設定し、タイ文字を入力するためタイ語入力を起動する。ＣＰＵ１１は、検索対象辞書（日本語ビジネス会話集）に対応づけられた見出し語先頭文字テーブルをもとに、図８（Ｂ）に示すように、文字選択画面Ｇｔ１をタッチパネル式表示部１７に表示させる（ステップＳ１０）。
【００６８】
図８（Ｂ）の文字選択画面Ｇｔ１では、子音文字エリアに表示される文字キーのうち、図８（Ｄａ）に示す子音文字のキーＡが灰色表示（第２の表示形態）により表示させる。子音文字のキーＡは、日タイ英辞書／タイ日英辞書（辞書１）が選択された場合の文字選択画面Ｇｔ１では、図５（Ｂ）に示すように、白色（第１の表示形態）により表示されている。
【００６９】
すなわち、日タイ英辞書／タイ日英辞書と日本語ビジネス会話集（日本語ビジネス用語辞書）とは、それぞれ設定された見出し語の数が異なり、また説明情報の内容が異なるため、説明情報に対応する見出し語の内容も異なる。従って、各辞書に設定された見出し語には、相互に異なる見出し語が含まれる。各辞書には、それぞれ見出し語に対応する見出し語先頭文字テーブルが対応づけられているため、見出し語先頭文字テーブルをもとに辞書に応じた文字選択画面Ｇｔ１を表示させることができる。すなわち、本実施形態における文字入力装置１０では、文字選択画面Ｇｔ１において、検索対象とする辞書の見出し語を検索するために入力可能なキー（母音文字、子音文字）が白色（第１の表示形態）により表示されているため、操作可能なキーを容易に識別することができる。なお、本実施形態においては、最初に見出し語として入力可能な母音文字又は子音を従来と同様の配列のキーボード上に入力可能な文字として白地に黒文字で識別表示し、入力不可の文字を灰色で識別表示するようにしたので、分かりにくい母音文字又は子音文字であっても、キー位置で文字の種類を判断することができて便利である。そしてキーボードから母音文字又は子音文字を入力すると、入力された文字を含む組み合わせ文字のみ一覧表示されるので、その中から容易に組み合わせ文字を入力して見出し語検索に利用することができる。その場合、組み合わせ文字を入力する際の最初の母音文字又は子音文字を入力するときはキーボードから文字入力して、母音文字と子音文字からなる組み合わせ文字を選択（入力）する際は、組み合わせ文字一覧表示から選んで入力していく。２文字目の組み合わせ文字についても最初の母音文字又は子音文字を入力するときはキーボードから文字入力して、母音文字と子音文字からなる組み合わせ文字を選択（入力）する際は、組み合わせ文字一覧表示から選んで入力していく、ようにしても良い。
【００７０】
また、本実施形態における文字入力装置１０では、タイ語の知識が不足しているユーザであっても、入力したいタイ文字を構成する子音文字あるいは母音文字を、例えば、タイ文字における母音文字と子音文字の配置に関係なく任意の順番で入力することでタイ文字を入力することができる。すなわち、タイ語入力キーボードＫＢを使用して文字を入力する場合には、子音文字を先に入力し、次に母音文字を入力するタイ文字入力の規則に関わらず、入力したいタイ文字を容易に入力することが可能になる。
【００７１】
また母国語人においても入力したいタイ文字を手書きと同様の母音文字と子音文字の順番で入力することも、子音文字、母音文字の順番で入力することもでき、入力したいタイ文字を容易に入力することが可能になる。
【００７２】
なお、前述した説明では、辞書検索機能（辞書検索モード）が実行された場合の動作について説明しているが、メモ帳機能（テキスト入力モード）が設定された場合には次の処理を実行する。
【００７３】
ＣＰＵ１１は、例えばキー入力部１６の所定のキー（メモ帳キー）に対する操作によりメモ帳機能の実行が指示されると（ステップＳ３、Ｙｅｓ）、テキスト入力モードを設定して、テキスト入力モードに対応する文字選択画面Ｇｔ１をタッチパネル式表示部１７に表示させる。
【００７４】
図８（Ｃ）は、テキスト入力モードにおける文字選択画面Ｇｔ１の一例を示す図である。図８（Ｃ）に文字選択画面Ｇｔ１は、キーの配置については、図５（Ｂ）に示す辞書検索モード時と同じであるが、全てのキーを同じ表示形態により表示させている。すなわち、白色（第１の表示形態）と灰色（第２の表示形態）によりキーの表示形態を変更していない。すなわち、メモ帳機能では、辞書の見出し語に含まれない文字を含む任意の文字かユーザにより入力される。このため、ＣＰＵ１１は、全てのキーにより入力操作が可能であることを表すように（図８（Ｃ）では白色（第１の表示形態））文字選択画面Ｇｔ１を表示させる。
【００７５】
ＣＰＵ１１は、図８（Ｃ）に示す文字選択画面Ｇｔ１のキー一覧表示からユーザ操作により選択されたキーに応じた文字を入力し、メモ帳データ（テキストデータ）として記憶する。文字選択画面Ｇｔ１では、前述したように、子音文字と母音文字を任意の順番で入力することが可能である。
【００７６】
さらに、前述した説明では、見出し語が設定された日タイ英辞書／タイ日英辞書などの辞書を対象としているが、見出し語が設定されていない辞書（用語集）などを対象としても良い。この場合、辞書に設定された見出し語に応じて見出し語先頭文字テーブルが、予め見出し語先頭文字データエリア１２ｃ４に記憶されていない。
【００７７】
ＣＰＵ１１は、例えばＷｅｂサーバからネットワークＮを通じて用語集のデータをダウンロードした場合、用語集に含まれる各用語の先頭文字を検索し、先頭文字を構成する全ての母音文字と子音文字を抽出する。ＣＰＵ１１は、用語集から抽出した用語の先頭文字を構成する母音文字と子音文字のデータを含む見出し語先頭文字テーブルを作成し、見出し語先頭文字データエリア１２ｃ４に記憶させる。
【００７８】
ＣＰＵ１１は、用語集の用語を指定するために文字を入力する場合、見出し語先頭文字データエリア１２ｃ４ら記憶された見出し語先頭文字テーブルを参照して、前述した文字選択画面Ｇｔ１と同様にして、入力可能な文字のキーと入力不可のキーの表示形態が異なるソフトキーボード（キー一覧）を表示させる。
【００７９】
これにより、予め辞書に含まれる見出し語をもとに、予め見出し語先頭文字テーブルが用意されていなくても、文字選択画面Ｇｔ１を通じて文字入力することが可能となる。
【００８０】
また、メモ帳機能によりテキストを入力する場合においても、入力対象とする文字が制限される場合には、この制限に応じて入力可能な文字を構成する母音文字と子音文字を含む見出し語先頭文字テーブルを作成するようにしても良い。例えば、技術分野別に見出し語先頭文字テーブルを作成する。これにより、テキスト入力する際に技術分野を設定することで、入力可能な文字が白色（第１の表示形態）により表示されたソフトキーボードを用いて文字入力することが可能となる。
【００８１】
なお、前述した説明では、子音文字と母音文字を組み合わせた組み合わせ文字として、タイ文字を例にして説明しているが、その他の言語の文字を対象とすることも可能である。例えば、カンボジア国のクメール語、ミャンマー国のビルマ語など（タイ語系言語）の文字は、タイ文字と同様に子音文字と母音文字を組み合わせて表記される。従って、クメール語あるいはビルマ語の文字を入力する文字入力装置１０を、前述と同様に構成することが可能である。
【００８２】
また、実施形態において記載した手法、すなわち図４のフローチャートに示す処理等の各手法は、コンピュータに実行させることができるプログラムとして、メモリカード（ＲＯＭカード、ＲＡＭカード等）、磁気ディスク（フレキシブルディスク、ハードディスク等）、光ディスク（ＣＤ−ＲＯＭ、ＤＶＤ等）、半導体メモリ等の記録媒体に格納して配布することができる。そして、コンピュータは、外部記録媒体に記録されたプログラムを読み込み、このプログラムによって動作が制御されることにより、実施形態において説明した機能と同様の処理を実現することができる。
【００８３】
また、各手法を実現するためのプログラムのデータは、プログラムコードの形態としてネットワーク（インターネット）上を伝送させることができ、このネットワーク（インターネット）に接続されたコンピュータ（サーバ装置等）からプログラムデータを取り込み、前述した実施形態と同様の機能を実現することもできる。
【００８４】
なお、本願発明は、実施形態に限定されるものではなく、実施段階ではその要旨を逸脱しない範囲で種々に変形することが可能である。さらに、実施形態には種々の段階の発明が含まれており、開示される複数の構成要件における適宜な組み合わせにより種々の発明が抽出され得る。例えば、実施形態に示される全構成要件から幾つかの構成要件が削除されたり、幾つかの構成要件が組み合わされても、発明が解決しようとする課題の欄で述べた課題が解決でき、発明の効果の欄で述べられている効果が得られる場合には、この構成要件が削除されたり組み合わされた構成が発明として抽出され得るものである。
【００８５】
以下に、本願出願の当初の特許請求の範囲に記載された発明を付記する。
【００８６】
［１］
子音文字と母音文字とを組み合わせた組み合わせ文字を複数含む見出し語を複数備える辞書の前記見出し語のうち、何れかの見出し語の組み合わせ文字を構成する第１子音文字と第１母音文字とを第１の表示形態で、前記辞書のいずれの見出し語の組み合わせ文字も構成しない第２子音文字と第２母音文字とを前記第１の表示形態と異なる第２の表示形態で、一覧表示させる文字一覧表示制御手段と、
ユーザ操作に応じて、前記第１の表示形態で表示された前記第１子音文字及び前記第１母音文字からいずれかを任意に入力する文字入力手段と、
前記文字入力手段により前記第１子音文字が入力された場合には、前記入力された第１子音文字を組み合わせ文字として含む各見出し語の前記組み合わせ文字を一覧表示し、前記文字入力手段により前記第１母音文字が入力された場合には、前記入力された第１母音文字を組み合わせ文字として含む各見出し語の前記組み合わせ文字を一覧表示させる組み合わせ文字一覧表示制御手段と、
を備える文字入力装置。
【００８７】
［２］
前記文字一覧表示制御手段は、
前記辞書の前記見出し語のうち、何れかの見出し語の先頭の組み合わせ文字を構成する第１子音文字と第１母音文字とを第１の表示形態で、前記辞書のいずれの見出し語の先頭の組み合わせ文字も構成しない第２子音文字と第２母音文字とを前記第１の表示形態と異なる第２の表示形態で、一覧表示させ、
前記組み合わせ文字一覧表示制御手段は、
前記文字入力手段により前記第１子音文字が入力された場合には、前記入力された第１子音文字を先頭の組み合わせ文字として含む各見出し語の前記先頭の組み合わせ文字を一覧表示し、前記文字入力手段により前記第１母音文字が入力された場合には、前記入力された第１母音文字を先頭の組み合わせ文字として含む各見出し語の前記先頭の組み合わせ文字を一覧表示させる先頭組み合わせ文字一覧表示制御手段を備える、
［１］に記載の文字入力装置。
【００８８】
［３］
前記文字一覧表示制御手段は、前記辞書の前記見出し語のうち、何れかの見出し語の組み合わせ文字を構成する第１子音文字と第１母音文字とを入力可能であることを示す第１の表示形態で、前記辞書のいずれの見出し語の組み合わせ文字も構成しない第２子音文字と第２母音文字とを前記第１の表示形態と異なる入力不可であることを示す第２の表示形態で、一覧表示させる、
［１］又は［２］に記載の文字入力装置。
【００８９】
［４］
前記先頭組み合わせ文字一覧表示制御手段により一覧表示された前記先頭の組み合わせ文字から何れかの先頭の組み合わせ文字を選択する先頭組み合わせ文字選択手段と、
前記選択された先頭の組み合わせ文字を先頭に含む見出し語を一覧表示させる見出し語一覧表示手段をさらに有する［２］に記載の文字入力装置。
【００９０】
［５］
前記文字一覧表示制御手段は、前記辞書に含まれる見出し語の先頭の組み合わせ文字を構成する前記第１子音文字と前記第１母音文字とを含む見出し語先頭文字テーブルを参照し、
前記見出し語先頭文字テーブルに含まれる前記第１子音文字と前記第１母音文字を前記第１の表示形態で表示させる［２］から［４］のいずれか一項に記載の文字入力装置。
【００９１】
［６］
前記辞書は、異なる見出し語が含まれる第１辞書と第２辞書とを含み、
前記文字一覧表示制御手段は、
ユーザ操作により前記第１辞書が選択された場合に、前記第１辞書に対応する第１見出し語先頭文字テーブルを参照して前記第１子音文字と前記第１母音文字とを前記第１の表示形態で表示させ、
ユーザ操作により前記第２辞書が選択された場合に、前記第２辞書に対応する第２見出し語先頭文字テーブルを参照して前記第１子音文字と前記第１母音文字とを前記第１の表示形態で表示させる
［５］記載の文字入力装置。
【００９２】
［７］
前記辞書を選択する辞書選択手段を備え、
前記文字一覧表示制御手段は、
前記辞書選択手段により前記辞書が選択されている場合に、前記第１子音文字と前記第１母音文字とを前記第１の表示形態で、前記辞書のいずれの見出し語の先頭の組み合わせ文字も構成しない第２子音文字と第２母音文字とを前記第１の表示形態と異なる第２の表示形態で、一覧表示させ、
前記辞書選択手段により前記辞書が選択されていない場合に、いずれの子音文字も前記第１子音文字として、いずれの母音文字も前記第１母音文字として、前記第１の表示形態で、一覧表示させる［２］乃至［６］の何れか一項に記載の文字入力装置。
【００９３】
［８］
文字入力装置が実行する文字入力方法であって、
子音文字と母音文字とを組み合わせた組み合わせ文字を複数含む見出し語を複数備える辞書の前記見出し語のうち、何れかの見出し語の組み合わせ文字を構成する第１子音文字と第１母音文字とを第１の表示形態で、前記辞書のいずれの見出し語の組み合わせ文字も構成しない第２子音文字と第２母音文字とを前記第１の表示形態と異なる第２の表示形態で、一覧表示させ、
ユーザ操作に応じて、前記第１の表示形態で表示された前記第１子音文字及び前記第１母音文字からいずれかを任意に入力し、
前記第１子音文字が入力された場合には、前記入力された第１子音文字を組み合わせ文字として含む各見出し語の前記組み合わせ文字を一覧表示し、前記第１母音文字が入力された場合には、前記入力された第１母音文字を組み合わせ文字として含む各見出し語の前記組み合わせ文字を一覧表示させる文字入力方法。
【００９４】
［９］
コンピュータを、
子音文字と母音文字とを組み合わせた組み合わせ文字を複数含む見出し語を複数備える辞書の前記見出し語のうち、何れかの見出し語の組み合わせ文字を構成する第１子音文字と第１母音文字とを第１の表示形態で、前記辞書のいずれの見出し語の組み合わせ文字も構成しない第２子音文字と第２母音文字とを前記第１の表示形態と異なる第２の表示形態で、一覧表示させる文字一覧表示制御手段と、
ユーザ操作に応じて、前記第１の表示形態で表示された前記第１子音文字及び前記第１母音文字からいずれかを任意に入力する文字入力手段と、
前記文字入力手段により前記第１子音文字が入力された場合には、前記入力された第１子音文字を組み合わせ文字として含む各見出し語の前記組み合わせ文字を一覧表示し、前記文字入力手段により前記第１母音文字が入力された場合には、前記入力された第１母音文字を組み合わせ文字として含む各見出し語の前記組み合わせ文字を一覧表示させる組み合わせ文字一覧表示制御手段として機能させるための入力制御プログラム。
【符号の説明】
【００９５】
１０  …文字入力装置
１０Ｄ…電子辞書装置
１０Ｔ…タブレット端末
１１  …ＣＰＵ
１２  …メモリ
１２ａ…文字入力制御処理プログラム
１２ｂ…タイ語辞書データベース
１２ｃ１…第１文字一覧データエリア
１２ｃ２…第２文字一覧データエリア
１２ｃ３…第３文字一覧データエリア
１２ｄ…タイ文字フォントデータエリア
１２ｅ…タイ語入力設定データエリア
１３  …外部記録媒体
１４  …記録媒体読取部
１５  …通信部
１６  …キー入力部
１７  …タッチパネル式表示部
２０  …Ｗｅｂサーバ
【図１】
2018164169.tif 000003
【図２】
2018164169.tif 000004
【図３】
2018164169.tif 000005
【図４】
2018164169.tif 000006
【図５】
2018164169.tif 000007
【図６】
2018164169.tif 000008
【図７】
2018164169.tif 000009
【図８】
2018164169.tif 000010
【図９】
2018164169.tif 000011